(57)【要約】【課題】  停止状態にあるラベル連続体Ｃを確実に停止させ、後続のラベル連続体Ｃへの、印字、移送および剥離動作を適正に実行可能とし、とくに装置本体ハウジング２の外部に排出された台紙Ｓを切る際に、台紙Ｓに位置ずれが起きないように台紙Ｓないし移送輪５にブレーキを掛けておくことができるラベル貼付け装置を提供すること。【解決手段】  ラベル連続体Ｃないし台紙Ｓを下流方向に移送するための移送輪５の回転を、その停止状態においてロックするストッパー付き駆動機構６を設けることに着目したもので、台紙Ｓに係合し操作レバー３の握持および開放にともなって台紙Ｓを下流方向に移送可能な移送輪５と、移送輪５に係脱してラベル片Ｌのピッチごとに、移送輪５を駆動可能とするとともに、その停止状態をロックして台紙Ｓの下流方向への移送を阻止可能なストッパー付き駆動機構６と、を有することを特徴とする。【選択図】図１
2009519866.tif 000002
【特許請求の範囲】
【請求項１】
装置本体ハウジングを有し、
帯状の台紙に複数枚のラベル片を仮着したラベル連続体をこの装置本体ハウジング内において移送するとともに、前記台紙から前記ラベル片を剥離して物品に貼り付け可能とするラベル貼付け装置であって、
前記装置本体ハウジングに対して操作可能な操作レバーと、
前記台紙に係合し、この操作レバーの握持および開放にともなって前記台紙を下流方向に移送可能な移送輪と、
この移送輪に係脱して前記ラベル片のピッチごとに、この移送輪を駆動可能とするとともに、その停止状態をロックして前記台紙の前記下流方向への移送を阻止可能なストッパー付き駆動機構と、
を有することを特徴とするラベル貼付け装置。
【請求項２】
前記ストッパー付き駆動機構は、
前記操作レバーに連結して所定の軌道を往復動する移送アームを有し、
この移送アームは、
前記移送輪に形成した移送方向係合部に係脱して前記移送輪を回転させ前記台紙を前記下流方向に移送可能とする移送爪部と、
この移送方向係合部に対向して前記移送輪に形成したストッパー方向係合部に係脱して前記台紙の前記下流方向への移動を阻止可能とするストッパー爪部と、を有することを特徴とする請求項１記載のラベル貼付け装置。
【請求項３】
前記移送方向係合部および前記ストッパー方向係合部は、
前記移送輪の側面に放射状に形成した放射状リブにこれを形成したことを特徴とする請求項２記載のラベル貼付け装置。
【請求項４】
前記移送アームは、
前記移送輪に対して所定の軌道を描くように前記移送アームを案内する往復動規制プレートと一体に往復動することを特徴とする請求項２記載のラベル貼付け装置。
【請求項５】
前記移送アームおよび前記往復動規制プレートはともに、
前記操作レバーに設けた移送アーム軸において前記操作レバーに連結していることを特徴とする請求項４記載のラベル貼付け装置。
【請求項６】
前記移送アームは、
前記移送方向係合部および前記ストッパー方向係合部に係脱可能な可撓性部材からこれを構成したことを特徴とする請求項２記載のラベル貼付け装置。
【請求項７】
前記移送アームは、
前記ラベル連続体の停止状態をロックするためのラベルストッパー機構に接離する先端当接部を有することを特徴とする請求項２記載のラベル貼付け装置。
【請求項８】
前記ラベル片に所定の印字を行う印字機構を設け、
この印字機構のプラテンを有するプラテンユニットに、前記移送輪とともに前記ストッパー付き駆動機構を組み込んであることを特徴とする請求項１記載のラベル貼付け装置。
【請求項９】
前記台紙から前記ラベル片を剥離するための剥離機構を設け、
前記ラベル連続体が通過するプラテンの先端部にこの剥離機構を取り付けたプラテンユニットに、前記移送輪とともに前記ストッパー付き駆動機構を組み込んであることを特徴とする請求項１記載のラベル貼付け装置。
【請求項１０】
前記操作レバーに設けた移送アーム軸に移送アームを取り付け、前記操作レバーの握持および開放にともなってこの移送アームにより前記移送輪を回転可能とするとともに、
前記プラテンユニットは、この移送アーム軸おいて前記装置本体ハウジングに対してこれを開閉可能とすることを特徴とする請求項８あるいは９記載のラベル貼付け装置。
【請求項１１】
装置本体ハウジングを有し、
帯状の台紙に複数枚のラベル片を仮着したラベル連続体をこの装置本体ハウジング内において移送するとともに、前記台紙から前記ラベル片を剥離して物品に貼り付け可能とするラベル貼付け装置であって、
前記装置本体ハウジングに対して操作可能な操作レバーと、
前記台紙に係合し、この操作レバーの握持および開放にともなって前記ラベル連続体を下流方向に移送可能な移送輪と、
この移送輪の回転に同期して前記ラベル片のピッチごとに、前記ラベル連続体の移送を可能とするとともに、その停止状態をロックして前記ラベル連続体の前記下流方向への移送を阻止可能なラベルストッパー機構と、
を有することを特徴とするラベル貼付け装置。
【請求項１２】
前記ラベルストッパー機構は、
前記操作レバーに連結して所定の軌道を往復動する移送アームと、
この移送アームに形成した先端当接部が接離するとともに、この接離にともなって前記ラベル連続体を押圧およびその解除を可能とするストッパー部材と、
このストッパー部材を前記ラベル連続体から離間する方向に付勢する弾性部材と、
前記ラベル連続体に対してこのストッパー部材の反対側に位置し、このストッパー部材との間に前記ラベル連続体を押圧およびその解除を可能とするストッパーレバーと、を有することを特徴とする請求項１記載のラベル貼付け装置。
【請求項１３】
前記ストッパー部材は、
前記台紙の裏面に押圧可能な押圧部材を有することを特徴とする請求項２記載のラベル貼付け装置。
【請求項１４】
前記ストッパーレバーは、
前記ストッパー部材に向かって常時これを付勢してあることを特徴とする請求項２記載のラベル貼付け装置。
【請求項１５】
前記ストッパーレバーは、
前記装置本体ハウジングに設けたストッパーレバー軸のまわりにこれを回動可能とするとともに、前記ラベル連続体上を転がってこれを押さえ可能な押さえローラーを有することを特徴とする請求項２記載のラベル貼付け装置。
【請求項１６】
前記ラベル片に所定の印字を行う印字機構を設け、
この印字機構のプラテンを有するプラテンユニットに、前記移送輪とともに前記移送アームおよび前記ストッパー部材を組み込んであることを特徴とする請求項２記載のラベル貼付け装置。
【請求項１７】
前記台紙から前記ラベル片を剥離するための剥離機構を設け、
前記ラベル連続体が通過するプラテンの先端部にこの剥離機構を取り付けたプラテンユニットに、前記移送輪とともに前記移送アームおよび前記ストッパー部材を組み込んであることを特徴とする請求項２記載のラベル貼付け装置。
【請求項１８】
前記プラテンユニットは、
前記移送アームを前記操作レバーに連結する移送アーム軸において前記装置本体ハウジングに対してこれを開閉可能とすることを特徴とする請求項６あるいは７記載のラベル貼付け装置。
【請求項１９】
装置本体ハウジングを有し、
帯状の台紙に複数枚のラベル片を仮着したラベル連続体をこの装置本体ハウジング内において移送するとともに、前記台紙から前記ラベル片を剥離して物品に貼り付け可能とするラベル貼付け装置であって、
前記装置本体ハウジングに対して操作可能な操作レバーと、
前記台紙に係合し、この操作レバーの握持および開放にともなって前記台紙を下流方向に移送可能な移送輪と、
この移送輪による移送にともなって前記ラベル連続体がその上を通過するプラテンと、
このプラテンに設けるとともに、前記ラベル連続体が有する複数の幅についてその幅方向を規制可能なラベルガイド機構と、
を有することを特徴とするラベル貼付け装置。
【請求項２０】
前記ラベルガイド機構は、
前記プラテンに着脱可能であるとともに、前記ラベル連続体の幅に応じて交換可能な幅ガイド部材を有することを特徴とする請求項１記載のラベル貼付け装置。
【請求項２１】
前記幅ガイド部材は、
前記プラテンに沿って延びる基板部と、
この基板部の両端部から前記プラテンの表面側に延びる左右一対の幅規制部と、
この基板部の両端部からこの幅規制部とは反対側に延びる左右一対のつまみ部と、を有することを特徴とする請求項２記載のラベル貼付け装置。
【請求項２２】
前記幅規制部は、
前記ラベル連続体の幅を規制して前記ラベル連続体をガイドするとともに、前記プラテンの両側に形成したプラテン側係合部に係脱可能なガイド側係合部を有することを特徴とする請求項３記載のラベル貼付け装置。
【請求項２３】
前記ラベル片に所定の印字を行う印字機構を設け、
この印字機構のプラテンを有するプラテンユニットに、前記移送輪とともに前記ラベルガイド機構を組み込んであることを特徴とする請求項１記載のラベル貼付け装置。
【請求項２４】
前記台紙から前記ラベル片を剥離するための剥離機構を設け、
前記ラベル連続体が通過するプラテンの先端部にこの剥離機構を取り付けたプラテンユニットに、前記移送輪とともに前記ラベルガイド機構を組み込んであることを特徴とする請求項１記載のラベル貼付け装置。
【請求項２５】
前記操作レバーに設けた移送アーム軸に移送アームを取り付け、前記操作レバーの握持および開放にともなってこの移送アームにより前記移送輪を回転可能とするとともに、
前記プラテンユニットは、この移送アーム軸おいて前記装置本体ハウジングに対してこれを開閉可能とすることを特徴とする請求項５あるいは６記載のラベル貼付け装置。
【発明の詳細な説明】
【技術分野】
【０００１】  本発明はラベル貼付け装置にかかるもので、とくに、帯状の台紙に複数枚のラベル片を仮着したラベル連続体を移送するとともに、その台紙の停止状態をロック可能であり、かつラベル連続体の幅に応じてそのガイド機構を取り替え可能なラベル貼付け装置に関するものである。
【背景技術】
【０００２】  従来のラベル貼付け装置は、その装置本体ハウジング内においてラベル連続体をその供給部から移送路に繰り出すとともに所定ピッチで移送し、必要ならばラベル片に価格その他の所定情報を印字（スタンプ）し、台紙からラベル片を剥離して、所定の物品などに貼り付け可能とするものである。
上記ラベル連続体の移送およびラベル片の剥離にあたっては通常、回転可能な移送輪にラベル連続体ないし台紙を係合させ、操作レバーの操作によって移送輪をラベル片のピッチで回転および停止させることにより、ラベル連続体を下流方向に順次移送し、転向ピンなどにおいて台紙のみを後方に転向させ、前方に進んだラベル片を台紙から剥離するものである。【０００３】  しかして、移送終了後に停止状態（待機状態）にあるラベル連続体ないし台紙を確実に停止させておく必要がある。
すなわち、剥離されて装置本体ハウジングの外部に一部が突出しているラベル片の貼付け操作の際に、装置本体ハウジング内に位置しているラベル連続体が、この貼り付けられるラベル片に引っ張られてその停止位置がずれる可能性があり、つぎの印字動作の際に印字位置がずれたり、さらに移送および剥離動作に支障を生ずる可能性があるという問題がある。
とくに、ラベル片の裏面に塗布された粘着剤が強粘着性の場合や、隣り合うラベル片どうしの間の切断が不十分で、いわゆる糊切れが悪い場合などには、後続のラベル片が引き出されてしまう可能性が高いという問題がある。【０００４】  さらに、装置本体ハウジングから排出されて長くなった台紙の切断操作の際に、移送輪自体にブレーキがかかっていないと、台紙が装置本体ハウジングの外方に引っ張られる結果、台紙を含むラベル連続体全体が下流側に引っ張られてその停止位置がずれる可能性があり、上述と同様に、つぎの印字動作の際に印字位置がずれたり、移送および剥離動作に支障を生ずる可能性があるという問題がある。【０００５】  さらにまた、従来のラベル貼付け装置には、ラベル連続体の幅規制機構ないしガイド機構が設けられているものもあるが、単一の幅のラベル連続体に対応した機構であるために、幅が異なるラベル連続体を装填して使用する場合には、それぞれの幅に応じた幅規制機構ないしガイド機構を備えたラベル貼付け装置を準備する必要があり、コストの面および使用にあたっての作業性の面で劣るという問題がある。【０００６】
【特許文献１】米国特許第５６５５４５０号公報
【発明の開示】
【発明が解決しようとする課題】
【０００７】    本発明は以上のような諸問題にかんがみなされたもので、移送終了後に停止状態にあるラベル連続体ないし台紙を確実に停止させておくことができるラベル貼付け装置を提供することを課題とする。【０００８】  また本発明は、装置本体ハウジング内に残っている後続のラベル連続体への、印字、移送および剥離動作を適正に実行可能とするラベル貼付け装置を提供することを課題とする。【０００９】  また本発明は、装置本体ハウジングの外部に長く排出された台紙を切る際に、移送輪に係合している台紙がこの切断操作によっても位置ずれが起きないように台紙ないし移送輪にブレーキを掛けておくことができるラベル貼付け装置を提供することを課題とする。【００１０】  また本発明は、単一の装置本体ハウジングであっても、複数種の幅を有するラベル連続体を装填可能なラベル貼付け装置を提供することを課題とする。【００１１】  また本発明は、装置本体ハウジング内に残っている後続のラベル連続体への、印字、移送および剥離動作を適正に実行可能とするラベル貼付け装置を提供することを課題とする。【００１２】  また本発明は、装置本体ハウジング内において停止状態にあるラベル連続体が、貼付け操作などにより移動しないようにロックをかけることができるラベル貼付け装置を提供することを課題とする。【００１３】  また本発明は、単一の装置本体ハウジングであっても、複数種の幅を有するラベル連続体を装填可能なラベル貼付け装置を提供することを課題とする。【００１４】  また、本発明は、ラベル連続体の移送を確実に行うことができるラベル貼付け装置を提供することを課題とする。【００１５】  また本発明は、ラベル連続体の幅に応じて、そのガイド機構を取り替え可能なラベル貼付け装置を提供することを課題とする。【００１６】  また本発明は、異なる幅のラベル連続体を装填する際に、その幅を規制してガイドする機能を簡単に切り替えることができるラベル貼付け装置を提供することを課題とする。【００１７】  また本発明は、単一の装置本体ハウジングであっても、複数種の幅を有するラベル連続体を装填可能なラベル貼付け装置を提供することを課題とする。
【課題を解決するための手段】
【００１８】  すなわち本発明は、ラベル連続体ないし台紙を下流方向に移送するための移送輪の回転を、その停止状態においてロックするストッパー付き駆動機構を設けること、具体的には、たとえば移送輪に係脱する移送アームに駆動方向への移送爪部およびこの駆動方向への駆動を阻止するストッパー爪部を設けることに着目したもので、装置本体ハウジングを有し、帯状の台紙に複数枚のラベル片を仮着したラベル連続体をこの装置本体ハウジング内において移送するとともに、上記台紙から上記ラベル片を剥離して物品に貼り付け可能とするラベル貼付け装置であって、上記装置本体ハウジングに対して操作可能な操作レバーと、上記台紙に係合し、この操作レバーの握持および開放にともなって上記台紙を下流方向に移送可能な移送輪と、この移送輪に係脱して上記ラベル片のピッチごとに、この移送輪を駆動可能とするとともに、その停止状態をロックして上記台紙の上記下流方向への移送を阻止可能なストッパー付き駆動機構と、を有することを特徴とするラベル貼付け装置である。【００１９】  上記ストッパー付き駆動機構は、上記操作レバーに連結して所定の軌道を往復動する移送アームを有し、この移送アームは、上記移送輪に形成した移送方向係合部に係脱して上記移送輪を回転させ上記台紙を上記下流方向に移送可能とする移送爪部と、この移送方向係合部に対向して上記移送輪に形成したストッパー方向係合部に係脱して上記台紙の上記下流方向への移動を阻止可能とするストッパー爪部と、を有することができる。【００２０】  上記移送方向係合部および上記ストッパー方向係合部は、上記移送輪の側面に放射状に形成した放射状リブにこれを形成することができる。【００２１】  上記移送アームは、上記移送輪に対して所定の軌道を描くように上記移送アームを案内する往復動規制プレートと一体に往復動することができる。【００２２】  上記移送アームおよび上記往復動規制プレートはともに、上記操作レバーに設けた移送アーム軸において上記操作レバーに連結していることができる。【００２３】  上記移送アームは、上記移送方向係合部および上記ストッパー方向係合部に係脱可能な可撓性部材からこれを構成することができる。【００２４】  上記移送アームは、上記ラベル連続体の停止状態をロックするためのラベルストッパー機構に接離する先端当接部を有することができる。【００２５】  上記ラベル片に所定の印字を行う印字機構を設け、この印字機構のプラテンを有するプラテンユニットに、上記移送輪とともに上記ストッパー付き駆動機構を組み込んであることができる。【００２６】  上記台紙から上記ラベル片を剥離するための剥離機構を設け、上記ラベル連続体が通過するプラテンの先端部にこの剥離機構を取り付けたプラテンユニットに、上記移送輪とともに上記ストッパー付き駆動機構を組み込んであることができる。【００２７】  上記操作レバーに設けた移送アーム軸に移送アームを取り付け、上記操作レバーの握持および開放にともなってこの移送アームにより上記移送輪を回転可能とするとともに、上記プラテンユニットは、この移送アーム軸おいて上記装置本体ハウジングに対してこれを開閉可能とすることができる。【００２８】  当該ラベル貼付��装置は、印字機構を備えたラベル印字貼付け装置として実施可能であるとともに、印字機構を備えず、あらかじめ印字済みのラベル片を台紙から剥離して貼り付けるタイプのものにも実施可能である。
さらに、当該ラベル貼付け装置は、ラベル片を剥離したのちの台紙のみを移送輪に係合してラベル連続体を移送するタイプのものはもちろん、ラベル片を剥離する前後においてともに移送輪にラベル連続体を係合してこれを移送するタイプのものにも適用可能である。【００２９】  第二の発明は、ラベル連続体を、その停止状態においてロックするラベルストッパー機構を設けること、具体的には、たとえばストッパー部材とストッパーレバーとの間にラベル連続体を挟持するように構成することに着目したもので、装置本体ハウジングを有し、帯状の台紙に複数枚のラベル片を仮着したラベル連続体をこの装置本体ハウジング内において移送するとともに、上記台紙から上記ラベル片を剥離して物品に貼り付け可能とするラベル貼付け装置であって、上記装置本体ハウジングに対して操作可能な操作レバーと、上記台紙に係合し、この操作レバーの握持および開放にともなって上記ラベル連続体を下流方向に移送可能な移送輪と、この移送輪の回転に同期して上記ラベル片のピッチごとに、上記ラベル連続体の移送を可能とするとともに、その停止状態をロックして上記ラベル連続体の上記下流方向への移送を阻止可能なラベルストッパー機構と、を有することを特徴とするラベル貼付け装置である。【００３０】  上記ラベルストッパー機構は、上記操作レバーに連結して所定の軌道を往復動する移送アームと、この移送アームに形成した先端当接部が接離するとともに、この接離にともなって上記ラベル連続体を押圧およびその解除を可能とするストッパー部材と、このストッパー部材を上記ラベル連続体から離間する方向に付勢する弾性部材と、上記ラベル連続体に対してこのストッパー部材の反対側に位置し、このストッパー部材との間に上記ラベル連続体を押圧およびその解除を可能とするストッパーレバーと、を有することができる。【００３１】  上記ストッパー部材は、上記台紙の裏面に押圧可能な押圧部材を有することができる。【００３２】  上記ストッパーレバーは、上記ストッパー部材に向かって常時これを付勢してあることができる。【００３３】  上記ストッパーレバーは、上記装置本体ハウジングに設けたストッパーレバー軸のまわりにこれを回動可能とするとともに、上記ラベル連続体上を転がってこれを押さえ可能な押さえローラーを有することができる。【００３４】  上記ラベル片に所定の印字を行う印字機構を設け、この印字機構のプラテンを有するプラテンユニットに、上記移送輪とともに上記移送アームおよび上記ストッパー部材を組み込んであることができる。【００３５】  上記台紙から上記ラベル片を剥離するための剥離機構を設け、上記ラベル連続体が通過するプラテンの先端部にこの剥離機構を取り付けたプラテンユニットに、上記移送輪とともに上記移送アームおよび上記ストッパー部材を組み込んであることができる。【００３６】  上記プラテンユニットは、上記移送アームを上記操作レバーに連結する移送アーム軸において上記装置本体ハウジングに対してこれを開閉可能とすることができる。【００３７】  当該ラベル貼付け装置は、印字機構を備えたラベル印字貼付け装置として実施可能であるとともに、印字機構を備えず、あらかじめ印字済みのラベル片を台紙から剥離して貼り付けるタイプのものにも実施可能である。
さらに、当該ラベル貼付け装置は、ラベル片を剥離したのちの台紙のみを移送輪に係合してラベル連続体を移送するタイプのものはもちろん、ラベル片を剥離する前後においてともに移送輪にラベル連続体を係合してこれを移送するタイプのものにも適用可能である。【００３８】  第三の発明は、移送輪による移送にともなってラベル連続体がその上を通過するプラテンにラベルガイド機構を設けること、具体的には、たとえば、ラベル連続体が有する複数の幅についてその幅方向を規制可能な幅ガイド部材をプラテンに着脱可能とすることに着目したもので、装置本体ハウジングを有し、帯状の台紙に複数枚のラベル片を仮着したラベル連続体をこの装置本体ハウジング内において移送するとともに、上記台紙から上記ラベル片を剥離して物品に貼り付け可能とするラベル貼付け装置であって、上記装置本体ハウジングに対して操作可能な操作レバーと、上記台紙に係合し、この操作レバーの握持および開放にともなって上記台紙を下流方向に移送可能な移送輪と、この移送輪による移送にともなって上記ラベル連続体がその上を通過するプラテンと、このプラテンに設けるとともに、上記ラベル連続体が有する複数の幅についてその幅方向を規制可能なラベルガイド機構と、を有することを特徴とするラベル貼付け装置である。【００３９】  上記ラベルガイド機構は、上記プラテンに着脱可能であるとともに、上記ラベル連続体の幅に応じて交換可能な幅ガイド部材を有することができる。【００４０】  上記幅ガイド部材は、上記プラテンに沿って延びる基板部と、この基板部の両端部から上記プラテンの表面側に延びる左右一対の幅規制部と、この基板部の両端部からこの幅規制部とは反対側に延びる左右一対のつまみ部と、を有することができる。【００４１】  上記幅規制部は、上記ラベル連続体の幅を規制して上記ラベル連続体をガイドするとともに、上記プラテンの両側に形成したプラテン側係合部に係脱可能なガイド側係合部を有することができる。【００４２】  上記ラベル片に所定の印字を行う印字機構を設け、この印字機構のプラテンを有するプラテンユニットに、上記移送輪とともに上記ラベルガイド機構を組み込んであることができる。【００４３】  上記台紙から上記ラベル片を剥離するための剥離機構を設け、上記ラベル連続体が通過するプラテンの先端部にこの剥離機構を取り付けたプラテンユニットに、上記移送輪とともに上記ラベルガイド機構を組み込んであることができる。【００４４】  上記操作レバーに設けた移送アーム軸に移送アームを取り付け、上記操作レバーの握持および開放にともなってこの移送アームにより上記移送輪を回転可能とするとともに、上記プラテンユニットは、この移送アーム軸おいて上記装置本体ハウジングに対してこれを開閉可能とすることができる。
【発明の効果】
【００４５】  本発明によるラベル貼付け装置においては、ラベル連続体ないし台紙を下流方向に移送するための移送輪の回転を、その停止状態においてロックするストッパー付き駆動機構を設けたので、装置本体ハウジング外に排出された台紙を切断する操作時にも、移送輪が下流側（移送方向）に回転することなく、台紙をその停止位置に固定可能であり、装置本体ハウジング内部に停止しているラベル連続体および台紙の位置がずれることなく、つぎの印字、移送および剥離動作を的確に行うことができる。
また、第二の発明によるラベル貼付け装置においては、ラベル連続体を、その停止状態においてロックするラベルストッパー機構を設けたので、剥離されたラベル片を貼り付ける際にも、後続のラベル連続体ないしラベル片が前方に引っ張られることなく、すなわち、装置本体ハウジング内部に停止しているラベル連続体および台紙の位置がずれることなく、つぎの印字、移送および剥離動作を的確に行うことができる。
さらに、第三の発明によるラベル貼付け装置においては、移送輪による移送にともなってラベル連続体がその上を通過するプラテンに、その幅に応じて取り替え可能な幅ガイド部材などを有するラベルガイド機構を設けたので、複数種の幅を有するラベル連続体を装填しても適正にこれをガイドすることができるとともに、一台のラベル貼付け装置を複数種のラベル連続体用として使用することが可能となる。
【発明を実施するための最良の形態】
【００４６】  本発明においては、ストッパー付き駆動機構を採用したので、台紙の切断操作によっても台紙（ラベル連続体）が位置ずれすることなく、印字ずれの問題も解消可能なラベル貼付け装置を実現した。また第二の発明では、ラベルストッパー機構を採用したので、ラベル片の貼付け操作によってもラベル連続体が位置ずれすることなく、印字ずれの問題も解消可能なラベル貼付け装置を実現し、第三の発明では、ラベル連続体が有する複数種の幅に応じたラベルガイド機構をプラテンに設けたので、複数種の幅を有するラベル連続体を装填可能なラベル貼付け装置を実現した。
【実施例】
【００４７】  つぎに本発明の実施例によるラベル貼付け装置１を図１ないし図９にもとづき説明する。
図１は、ラベル貼付け装置１の断面側面図であって、ラベル貼付け装置１は、装置本体ハウジング２と、操作レバー３と、ラベル供給部４と、移送輪５と、ストッパー付き駆動機構６と、ラベルストッパー機構７と、印字機構８（印字スタンプ機構）と、剥離機構９と、ラベルガイド機構１０と、貼付けローラー１１と、を有する。【００４８】  装置本体ハウジング２は、ラベル貼付け装置１全体を収容する左右（図中前後）一対の側板からこれを構成し、その後方上部（図中右上方）にグリップ１２を形成している。【００４９】  操作レバー３は、操作レバー軸１３のまわりに回動可能にこれを取り付け、装置本体ハウジング２（グリップ１２）に対して操作可能であって、グリップ１２との間に圧縮スプリング１４を介在させて、圧縮スプリング１４の付勢力に抗してグリップ１２とともにこれを握持する操作、およびその開放操作を可能とする。なお、操作レバー３には、印字機構８方向に延びるヨーク部１５、および移送輪５の後方（図中右側）に延びるアーム連結部１６を形成してある。
ラベル連続体Ｃは、帯状の台紙Ｓに複数枚のラベル片Ｌを仮着したもので、ラベル供給部４にロール状に巻かれて装填され、ラベル供給部４から装置本体ハウジング２内の移送路１７に繰り出される。
移送路１７は、ラベル供給部４からラベルストッパー機構７および印字機構８の部分を通り、剥離機構９では台紙Ｓのみが後方に折り返して移送輪５に係合し、アーム連結部１６と排出ガイド部１８との間から装置本体ハウジング２の外部に台紙Ｓが排出されるような経路を取る。
操作レバー３の握持時に印字機構８によるラベル連続体Ｃ（ラベル片Ｌ）への印字を行い、その開放によりラベル連続体Ｃの下流方向への移送および台紙Ｓからのラベル片Ｌの剥離を行って、グリップ１２および操作レバー３の開放状態のままラベル貼付け装置１全体を任意の物品（図示せず）に当接し、貼付けローラー１１によるラベル片Ｌの貼付けを可能とする。【００５０】  図２は、移送輪５、ストッパー付き駆動機構６、ラベルストッパー機構７の一部、剥離機構９およびラベルガイド機構１０を備えたプラテンユニット１９の分解斜視図、図３は、プラテンユニット１９のユニット本体２０の斜視図、図４は、プラテンユニット１９の側面図である。
プラテンユニット１９においては、そのユニット本体２０が移送路１７の左右一対のガイドブラケット２１を有するとともに、ガイドブラケット２１の間の前方部分（下流部分）に、印字機構８のプラテン２２を一体に有する。
左右一対のガイドブラケット２１は、移送輪５をその回転軸２３まわりに回転可能に支持しているとともに、移送輪５の上方部を覆うように円弧状の台紙ガイドカバー２４を取り付け、移送輪５との間に台紙Ｓを通過可能とする。
移送輪５は、その円周面に等角度間隔でラベル片Ｌのピッチに応じて形成した係合爪５Ａに台紙Ｓを係合可能とし、操作レバー３の握持および開放にともなう回転により台紙Ｓつまりラベル連続体Ｃを下流方向に移送可能である。
なお、ユニット本体２０の下方部において移送輪５の下方部に突き出した一対の逆転防止爪２５が移送輪５の左右円周方向に形成した逆転防止溝２６に順次係合可能となっており、移送輪５の上流側方向への逆転動作を防止している。さらに移送輪５は、ストッパー付き駆動機構６の作用（後述）により、操作レバー３を握持操作していない停止状態では、ラベル連続体Ｃ（台紙Ｓ）の下流方向への移送方向回転（正転方向回転）も阻止されることになる。【００５１】  ガイドブラケット２１（ユニット本体２０）は、ストッパー付き駆動機構６、さらにラベルストッパー機構７の一部を一体的に組み込んでいる。
このストッパー付き駆動機構６は、左右一対の移送アーム２７と、往復動規制プレート２８と、を有し、移送アーム２７が移送輪５に係脱してラベル片Ｌのピッチごとに、移送輪５を回転駆動可能とするとともに、その停止状態をロックして台紙Ｓの下流方向への移送を阻止可能とするものである。
すなわち、移送アーム２７および往復動規制プレート２８は、その固定端部においてこれを連結して所定の相対角度を得るように一体形成しているとともに、操作レバー３のアーム連結部１６の先端部に設けた移送アーム軸２９にその固定端部を連結して操作レバー３に連結し、その操作にともなって所定の軌道を往復動するようになっている。
移送アーム２７には、その自由端部に、移送爪部２７Ａと、ストッパー爪部２７Ｂと、先端当接部２７Ｃと、を形成してある。
また、移送輪５の左右側面それぞれから突出するように放射状に形成した放射状リブ３０のそれぞれには、移送方向係合部３０Ａおよびストッパー方向係合部３０Ｂを形成し、隣り合う放射状リブ３０の移送方向係合部３０Ａとストッパー方向係合部３０Ｂとが移送輪５の回転方向において互いに対向するようにしてある。
移送爪部２７Ａは、移送方向係合部３０Ａに係脱して移送輪５を回転させ、台紙Ｓを下流方向に移送可能である。
ストッパー爪部２７Ｂは、ストッパー方向係合部３０Ｂに係脱して、台紙Ｓの下流方向への移動を阻止可能である。
先端当接部２７Ｃは、ラベル連続体Ｃの停止状態をロックするためのラベルストッパー機構７に接離する（後述）。【００５２】  また、移送アーム２７は、移送方向係合部３０Ａおよびストッパー方向係合部３０Ｂに係脱可能な可撓性部材からこれを構成しているもので、移送輪５に対して所定の軌道を描くように移送アーム２７を案内する往復動規制プレート２８と一体に往復動する。
すなわち往復動規制プレート２８には、その自由端部に左右一対の規制用突起２８Ａを形成し、ガイドブラケット２１の後方底部の左右両側部に形成した規制用長窓２１Ａにこの規制用突起２８Ａが係合して、操作レバー３の操作にともなって往復動規制プレート２８を規制用長窓２１Ａに沿って往復動させるとともに、往復動規制プレート２８と移送アーム軸２９において一体の移送アーム２７を所定の軌道に往復動させる。
なお、往復動規制プレート２８の後端部には、台紙切断用鋸歯部３１を形成してある。【００５３】  上述のストッパー付き駆動機構６と移送輪５とにより、ラベル連続体Ｃ（台紙Ｓ）の移送機構３２を構成している。【００５４】  ラベルストッパー機構７は、移送輪５の回転に同期してラベル片Ｌのピッチごとに、ラベル連続体Ｃの移送を可能とするとともに、その停止状態をロックしてラベル連続体Ｃの下流方向への移送を阻止可能なものである。
すなわち、ラベルストッパー機構７は、上記移送アーム２７と、左右一対のストッパー部材３３と、左右一対の弾性部材３４（コイルスプリング）と、左右一対のストッパーレバー３５（図１）と、を有する。【００５５】  とくに図１および図２に示すように、ストッパー部材３３は、往復動部材３６と、往復動部材３６からラベル連続体Ｃの移送路１７方向に突出させた押圧基板３７と、押圧基板３７の表面に固定した押圧部材３８と、を有する。
往復動部材３６は、左右のガイドブラケット２１にそれぞれ形成した収容窓２１Ｂに、コイルスプリング３４とともにこれを収容し、コイルスプリング３４の付勢力により往復動部材３６（ストッパー部材３３）を、押圧基板３７（押圧部材３８）がラベル連続体Ｃの台紙Ｓの裏面から離間する方向に移動可能とし、また、コイルスプリング３４の付勢力に抗してラベル連続体Ｃを押し付ける方向に往復動可能とする。ただし、コイルスプリング３４の付勢力は、前記圧縮スプリング１４の付勢力より小さくこれを設定してあり、操作レバー３を操作しない停止状態では押圧部材３８が台紙Ｓの裏面およびストッパーレバー３５に所定押圧力で当接している。
往復動部材３６の後端部には、往復動部材３６の本体に対して直角に折れ曲がる後端当接部３６Ａを形成し、この後端当接部３６Ａに移送アーム２７の先端当接部２７Ｃが接離可能とし、この接離にともなってラベル連続体Ｃを押圧およびその解除を可能とする。
押圧基板３７は、移送アーム２７の先端当接部２７Ｃが往復動部材３６の後端当接部３６Ａをコイルスプリング３４の付勢力に抗してラベル連続体Ｃ方向に押圧したときに、その押圧部材３８が台紙Ｓの裏面に所定押圧力で当接し、ストッパーレバー３５との間でラベル連続体Ｃを挟みこみ、ラベル連続体Ｃの停止状態をロック可能である。
押圧部材３８は、このロック状態を確保するためにゴム材その他の柔軟部材を採用することが望ましい。【００５６】  ストッパーレバー３５は、図１に示すように、ラベル連続体Ｃに対してストッパー部材３３の反対側にこれと対向して位置し、装置本体ハウジング２に設けたストッパーレバー軸３９のまわりにこれを回動可能とするとともに、巻バネ４０によってストッパー部材３３に向かって常時これを付勢し、ストッパー部材３３との間においてラベル連続体Ｃを押圧およびその解除を可能とする。したがってラベル連続体Ｃは、コイルスプリング３４および巻バネ４０の付勢力により、その移送にブレーキをかけられることになる。
さらにストッパーレバー３５は、プラテン２２上を移送されて行くラベル連続体Ｃ上を転がってこれを上方から押さえ可能な自由回転する押さえローラー４１を有するとともに、その先端部に押さえ先端部３５Ａを形成して、プラテン２２上にラベル連続体Ｃを安定して移送させ、印字機構８による印字作用を確実にしている。
なお、巻バネ４０の一端を掛けたバネ留めピン４２には、ストッパーレバー３５も当接可能であり、操作レバー３を操作しない停止状態でストッパーレバー３５がストッパーレバー軸３９のまわりに図１中時計方向に回動し、このバネ留めピン４２にストッパーレバー３５が当接して停止しており、この停止状態では押さえローラー４１とプラテン２２上のラベル連続体Ｃとの間にはわずかに隙間がある。
また、装置本体ハウジング２には、レバーストッパーピン４３を設けておき、プラテンユニット１９（プラテン２２）を開放したときに、ストッパーレバー３５が図１中反時計方向に所定姿勢以上回動しないようにしている。【００５７】  印字機構８（印字スタンプ機構）は、操作レバー３のヨーク部１５の先端部に取り付けた印字器４４と、装置本体ハウジング２の先端上部のローラー軸４５に取り付けて印字器４４方向に所定の弾性部材（図示せず）により常時付勢してあるインキローラー４６と、前記プラテン２２と、を有する。
操作レバー３の握持操作により、印字器４４がインキローラー４６によりインキを塗布されてプラテン２２上のラベル連続体Ｃ（ラベル片Ｌ）に所定の印字をスタンプする。【００５８】  剥離機構９は、プラテン２２の先端部に転向ピン４７を有し、転向ピン４７において台紙Ｓのみを移送輪５方向（後方）に転向させ、台紙Ｓからラベル片Ｌを剥離する。剥離したラベル片Ｌを貼付けローラー１１により所定の物品などに貼付け可能とする。【００５９】  ラベルガイド機構１０は、移送輪５による移送にともなってラベル連続体Ｃがその上を通過するプラテン２２に設けるとともに、ラベル連続体Ｃが有する複数の幅についてその幅方向を規制可能なものである。
図５および図６は、図４のＶ−Ｖ線断面図であって、ラベルガイド機構１０は、プラテン２２（プラテンユニット１９）に着脱可能であるとともに、ラベル連続体Ｃの幅に応じて交換可能な幅ガイド部材４８を有する。なお、図５は、幅ガイド部材４８をプラテンユニット１９（ユニット本体２０）に組み付ける前の状態を示し、図６は、組み付けた後の状態を示している。【００６０】  幅ガイド部材４８は、図５に示すように、断面Ｈ字形状であって、ラベル連続体Ｃの移送方向に所定の長さにわたって延びるもので、プラテン２２の下方部において幅方向に沿って延びる基板部４９と、基板部４９の両端部からプラテン２２の表面側に延びる左右一対の幅規制部５０と、基板部４９の両端部から幅規制部５０とは反対側（下方部側）に延びる左右一対のつまみ部５１と、を有する。【００６１】  左右一対の幅規制部５０は、それぞれの内方壁面５０Ａの間において、対応する幅を有するラベル連続体Ｃのその幅を規制してラベル連続体Ｃを適正にガイドする。すなわち、左右一対の内方壁面５０Ａの間の間隔Ｗが異なる幅ガイド部材４８を、ラベル連続体Ｃの異なる幅に応じて複数個準備しておくものとする。
さらに、プラテン２２の左右側部とガイドブラケット２１との間には、幅規制部５０を挿入し、係合固定するための着脱窓５２を貫通形成してある。左右一対の幅規制部５０からつまみ部５１にかけて形成したそれぞれの外方壁面５０Ｂが、着脱窓５２のガイドブラケット２１側のそれぞれの外方壁面５２Ａに沿って係合する（図６）。さらに幅規制部５０は、プラテン２２の両側のガイドブラケット２１に形成したプラテン側係合部２１Ｃに係脱可能なガイド側係合部５０Ｃを有する。
また、とくに図６に示すように、着脱窓５２においては、ここに幅ガイド部材４８の幅規制部５０が挿入係合されても、内方壁面５０Ａとプラテン２２の外方壁面２２Ａとの間には所定の空間部（隙間）が残るようにしてあり、幅規制部５０の厚さ（ラベル連続体Ｃの幅方向の厚さ）が異なる複数パターンの幅ガイド部材４８を受け入れ可能としているとともに、着脱窓５２への幅ガイド部材４８の着脱を容易としている。
なお、ガイド側係合部５０Ｃの内方側には、ラベル連続体Ｃが装填時にプラテン２２に向かってガイドされやすいように、かつ幅規制部５０が着脱窓５２に挿入されやすいようにテーパー面５０Ｄを形成してある。【００６２】  プラテン２２の下面には、幅ガイド部材４８の基板部４９方向に向かって複数本の垂直リブ５３を形成してあり、それぞれの垂直リブ５３の先端側（図中下方側）に形成した係合凹部５３Ａに基板部４９がプラテン２２の下方から係合可能として、プラテン側係合部２１Ｃとガイド側係合部５０Ｃとの係合に加えて、幅ガイド部材４８のプラテン２２への取付け構造をより確実にしている。【００６３】  既述のようなプラテンユニット１９に、移送輪５とともに、ストッパー付き駆動機構６、剥離機構９、ラベルガイド機構１０、移送アーム２７およびストッパー部材３３を組み込んである。
さらにプラテンユニット１９は、移送アーム２７を操作レバー３に連結する移送アーム軸２９おいて装置本体ハウジング２に対してこれを開閉可能とし、装置本体ハウジング２内へのラベル連続体Ｃの装填を可能とする。【００６４】  こうした構成のラベル貼付け装置１において、操作レバー３のグリップ１２への握持およびその開放にともなう、ラベル連続体Ｃ（ラベル片Ｌ）への印字、移送、剥離、さらには、ストッパー付き駆動機構６、ラベルストッパー機構７およびラベルガイド機構１０の動作を説明する。
図７は、操作レバー３を開放した（操作レバー３を握持していない）状態（停止状態ないし待機状態）の要部断面側面図、図８は、操作レバー３をわずかに握持した状態の要部断面側面図、図９は、操作レバー３を最後まで握持しきった状態の要部断面図である。
とくに図７および図１に示すように、操作レバー３の開放状態では、圧縮スプリング１４の付勢力により操作レバー３からアーム連結部１６を介してストッパー付き駆動機構６の移送アーム２７が、移送輪５の放射状リブ３０（移送方向係合部３０Ａ）およびラベルストッパー機構７の往復動部材３６に係合当接している。
すなわち、移送アーム２７の移送爪部２７Ａが移送輪５における放射状リブ３０の移送方向係合部３０Ａに係合しているが、ストッパー爪部２７Ｂが放射状リブ３０のストッパー係合部３０Ｂに係合しているので、移送輪５は、その下流側への回転を阻止され、台紙Ｓを台紙切断用鋸歯部３１において切断する操作を行っても、台紙Ｓがラベル貼付け装置１（装置本体ハウジング２）の外方に引かれることはなく、装置本体ハウジング２内部のラベル連続体Ｃがその停止状態を保持してずれることがない。したがって、つぎの操作レバー３の握持操作による印字、移送および剥離動作に支障が出ることはない。
さらに、移送アーム２７の先端当接部２７Ｃがストッパー部材３３の往復動部材３６（後端当接部３６Ａ）に当接して、コイルスプリング３４の付勢力に抗してストッパー部材３３全体をラベル連続体Ｃを介してストッパーレバー３５の方向にラベル連続体Ｃを押し付けるので、ラベル連続体Ｃをプラテン２２上の所定の位置に停止状態にブレーキをかけたままとしておくことができる。【００６５】  つぎに図８に示すように、操作レバー３をわずかに握持した状態では、操作レバー３のアーム連結部１６が移送アーム軸２９を介してストッパー付き駆動機構６の移送アーム２７および往復動規制プレート２８をともに後方（図中右方）へ引いて移送アーム２７が移送アーム軸２９のまわりにわずかに撓むように回動し、その移送爪部２７Ａが放射状リブ３０の移送方向係合部３０Ａとの係合を解除するとともに、そのストッパー爪部２７Ｂが放射状リブ３０のストッパー係合部３０Ｂとの係合を解除することにより、移送アーム２７と移送輪５との係合が解除される。
なお、往復動規制プレート２８は規制用長窓２１Ａ内を規制されつつ移動し、移送アーム２７を所定の姿勢に保持する。
さらに、移送アーム２７の先端当接部２７Ｃがラベルストッパー機構７におけるストッパー部材３３の往復動部材３６の後端当接部３６Ａから離反し、往復動部材３６はコイルスプリング３４の付勢力により押圧基板３７（押圧部材３８）がラベル連続体Ｃの台紙Ｓの裏面から離反し、押圧部材３８とストッパーレバー３５との間で挟持してブレーキを掛けていた状態を解除し、ラベル連続体Ｃの移送が可能な状態とする。
また、ラベル連続体Ｃを介したストッパーレバー３５とストッパー部材３３との係合が解除されたことにより、ストッパーレバー３５が巻バネ４０の付勢力によりストッパーレバー軸３９のまわりに図中反時計方向にわずかに回動する結果、ストッパーレバー３５の押さえローラー４１がラベル連続体Ｃの表面（ラベル片Ｌ）に所定押圧力で当接してプラテン２２側にラベル連続体Ｃを押し付け、ラベル連続体Ｃの移送にともなって押さえローラー４１がラベル連続体Ｃ上を回転可能となる。【００６６】  ついで図９に示すように、操作レバー３をグリップ１２に対して握りきれば、移送アーム２７および往復動規制プレート２８がさらに後方部位に位置し、移送アーム２７の移送爪部２７Ａが今まで係合していた放射状リブ３０の反時計方向側に隣り合う放射状リブ３０の移送方向係合部３０Ａに、また、移送アーム２７のストッパー爪部２７Ｂが放射状リブ３０のストッパー係合部３０Ｂに係合可能な姿勢で、操作レバー３の開放操作にともなうラベル連続体Ｃ（台紙Ｓ）の移送開始を待つことになる。【００６７】  すなわち、操作レバー３とグリップ１２との握持操作を開放すれば、ラベル貼付け装置１は図１ないし図７の状態に復帰するものであるが、この復帰動作にともなって、移送アーム２７の移送爪部２７Ａおよびストッパー爪部２７Ｂが当初（前回の停止状態で）係合していた移送輪５における放射状リブ３０の隣り（反時計方向に回った位置）の放射状リブ３０における移送方向係合部３０Ａおよびストッパー係合部３０Ｂにそれぞれ係合しつつ、移送輪５を時計方向（下流側方向に向かう移送方向）に所定円周角度分だけ（ラベル片Ｌの一ピッチ分だけ）回動させる。
したがって、ラベル連続体Ｃの台紙Ｓが下流側に向かって移送されることになり、移送アーム２７および往復動規制プレート２８が図１および図７に示す原位置に戻った状態では、移送アーム２７の移送爪部２７Ａが放射状リブ３０の放射状リブ３０の移送方向係合部３０Ａに係合しても、ストッパー爪部２７Ｂがストッパー係合部３０Ｂに係合することになるので移送輪５の移送方向への回動を阻止し、この状態で台紙Ｓを台紙切断用鋸歯部３１の部分で切断しようとしても、台紙Ｓが下流側に引っ張れることがなく、すなわち、ラベル連続体Ｃ全体が移送方向に進むことはなく、既述した印字ずれなどの問題は発生しない。【００６８】  また、上述のような移送アーム２７の移送輪５に対する原位置への復帰とともに、移送アーム２７の先端当接部２７Ｃがストッパー部材３３の往復動部材３６（すなわち後端当接部３６Ａ）に当接して、コイルスプリング３４の付勢力に抗してストッパー部材３３全体をラベル連続体Ｃを介してストッパーレバー３５の方向にラベル連続体Ｃを押し付けるので、ラベル連続体Ｃをプラテン２２上の所定の位置に停止状態にブレーキをかけたままとしておくことができ、ストッパー付き駆動機構６と同様に、ラベルストッパー機構７により印字ずれなどの問題を回避することができる。とくに、ラベル連続体Ｃについてそのラベル片Ｌ間の糊切れの悪いものであっても、つぎのラベル片Ｌをプラテン２２の前方に引き出すことがないので、ラベル停止位置ずれを防止可能である。【００６９】  つぎに、おもに図５および図６にもとづき、ラベルガイド機構１０の動作について説明する。
ラベル連続体Ｃ（ラベル片Ｌ）の幅が異なるものをラベル貼付け装置１（ラベル供給部４）に装填する場合には、ラベルガイド機構１０におけるガイドブラケット２１のプラテン側係合部２１Ｃから、幅ガイド部材４８の幅規制部５０のガイド側係合部５０Ｃを外すとともに、幅ガイド部材４８の基板部４９をプラテン２２の下方における垂直リブ５３の係合凹部５３Ａから外して、幅規制部５０を着脱窓５２を通過させて幅ガイド部材４８をプラテン２２（プラテンユニット１９）から取り外す。
ついで、新しいラベル連続体Ｃの幅に対応した左右一対の幅規制部５０の間隔Ｗを有する新しい幅ガイド部材４８を図５に示すように、プラテンユニット１９（プラテン２２）の下方から着脱窓５２に挿入すれば、幅規制部５０のガイド側係合部５０Ｃがガイドブラケット２１のプラテン側係合部２１Ｃに係合するとともに、基板部４９が垂直リブ５３の係合凹部５３Ａに係合し、幅ガイド部材４８をプラテン２２の下方部分に固定して、新しい幅規制部５０の内方壁面５０Ａが新しい幅のラベル連続体Ｃを適正に幅規制してガイドすることができる。
したがって、一台のラベル貼付け装置１により複数の幅を有する各種のラベル連続体Ｃを装填して、印字、移送、剥離および貼付け操作を行うことができる。
また、複数種のラベル連続体Ｃを一台のラベル貼付け装置１に装填可能であるため、印字器４４として、ラベル連続体Ｃの幅が狭いものあるいは広いものに応じて任意の段数、たとえば一列に印字を行う一列タイプ（一段型）、あるいは二列に印字を行う二列タイプ（二段型）などを同じ装置本体ハウジング２（操作レバー３のヨーク部１５）に選択的に装備することが可能となる。【００７０】  なお、上述のような移送輪５、ストッパー付き駆動機構６、ラベルストッパー機構７ないしその一部、剥離機構９およびラベルガイド機構１０をすべてプラテンユニット１９に組み込んであるので、プラテンユニット１９を移送アーム軸２９のまわりに回動開放するだけで、ラベル連続体Ｃの移送路１７への装填、保守点検、その他の作業を簡単に実行可能で、必要な構成部材を単純な構造として組み込むことができる。
【図面の簡単な説明】
【００７１】
【図１】本発明の実施例によるラベル貼付け装置１の断面側面図である。
【図２】同、移送輪５、ストッパー付き駆動機構６、ラベルストッパー機構７の一部、剥離機構９およびラベルガイド機構１０を備えたプラテンユニット１９の分解斜視図である。
【図３】同、プラテンユニット１９のユニット本体２０の斜視図である。
【図４】同、プラテンユニット１９の側面図である。
【図５】図４のＶ−Ｖ線断面図であって、幅ガイド部材４８をプラテンユニット１９（ユニット本体２０）に組み付ける前の状態を示す。
【図６】図５と同様に、図４のＶ−Ｖ線断面図であって、幅ガイド部材４８をプラテンユニット１９（ユニット本体２０）に組み付けた後の状態を示す。
【図７】同、操作レバー３を開放した状態（停止状態ないし待機状態）の要部断面側面図である。
【図８】同、操作レバー３をわずかに握持した状態の要部断面側面図である。
【図９】同、操作レバー３を最後まで握持しきった状態の要部断面図である。
【符号の説明】
【００７２】  １  ラベル貼付け装置（実施例、図１）
２  装置本体ハウジング
３  操作レバー
４  ラベル供給部
５  移送輪
５Ａ  移送輪５の係合爪（図２）
６  ストッパー付き駆動機構
７  ラベルストッパー機構
８  印字機構（印字スタンプ機構）
９  剥離機構
１０  ラベルガイド機構（図５、図６）
１１  貼付けローラー
１２  グリップ
１３  操作レバー軸
１４  圧縮スプリング
１５  操作レバー３のヨーク部
１６  操作レバー３のアーム連結部
１７  ラベル連続体Ｃの移送路
１８  排出ガイド部
１９  プラテンユニット（図２、図３）
２０  ユニット本体
２１  ガイドブラケット
２１Ａ  ガイドブラケット２１の規制用長窓
２１Ｂ  ガイドブラケット２１の収容窓
２１Ｃ  ガイドブラケット２１のプラテン側係合部
２２  プラテン
２２Ａ  プラテン２２の外方壁面
２３  移送輪５の回転軸
２４  台紙ガイドカバー
２５  逆転防止爪
２６  逆転防止溝
２７  ストッパー付き駆動機構の移送アーム
２７Ａ  移送アーム２７の移送爪部
２７Ｂ  移送アーム２７のストッパー爪部
２７Ｃ  移送アーム２７の先端当接部
２８  往復動規制プレート
２８Ａ  往復動規制プレート２８の規制用突起
２９  移送アーム軸
３０  移送輪５の放射状リブ
３０Ａ  放射状リブ３０の移送方向係合部
３０Ｂ  放射状リブ３０のストッパー係合部
３１  台紙切断用鋸歯部
３２  移送機構
３３  ラベルストッパー機構７のストッパー部材
３４  コイルスプリング（弾性部材）
３５  ストッパーレバー
３５Ａ  ストッパーレバー３５の押さえ先端部
３６  往復動部材
３６Ａ  往復動部材３６の後端当接部
３７  押圧基板
３８  押圧部材
３９  ストッパーレバー軸
４０  巻バネ
４１  押さえローラー
４２  バネ留めピン
４３  レバーストッパーピン
４４  印字器
４５  ローラー軸
４６  インキローラー
４７  転向ピン
４８  ラベルガイド機構１０の幅ガイド部材（図５、図６）
４９  幅ガイド部材４８の基板部
５０  幅ガイド部材４８の幅規制部
５０Ａ  幅規制部５０の内方壁面
５０Ｂ  幅規制部５０の外方壁面
５０Ｃ  幅規制部５０のガイド側係合部
５０Ｄ  幅規制部５０のテーパー面
５１  幅ガイド部材４８のつまみ部
５２  着脱窓
５２Ａ  着脱窓５２の外方壁面
５３  垂直リブ
５３Ａ  垂直リブ５３の係合凹部
Ｃ    ラベル連続体
Ｌ    ラベル片
Ｓ    台紙
Ｗ    幅規制部５０における左右一対の内方壁面５０Ａの間の間隔（図５、図６）
【図１】
2009519866.tif 000003
【図２】
2009519866.tif 000004
【図３】
2009519866.tif 000005
【図４】
2009519866.tif 000006
【図５】
2009519866.tif 000007
【図６】
2009519866.tif 000008
【図７】
2009519866.tif 000009
【図８】
2009519866.tif 000010
【図９】
2009519866.tif 000011